(57)【要約】【課題】施工の容易な階段、階段の施工を容易化できる階段形成用の側板、及び施工の容易な階段の施工方法を提供すること。【解決手段】本発明の階段は、互いに平行に配置された一対の側板２，２間に、複数の段板３及び複数の蹴込板４を固定してなる階段であって、一対の側板２，２は、それぞれの内側面２５に、下から１段目の段板の端部上面が当接される上方抑え面２６ａ及び該段板の下に配される蹴込板の端部前面が当接される前方抑え面２６ｂを有する切除部２６を有し、該切除部２６は、側板２の内側面２５における、上方抑え面２６ａの下方に位置し且つ前方抑え面２６ｂの後方に位置する部分の略全体を切除して形成されており、下から１段目の段板３Ａの両端部が、上方抑え面２６ａと段板３Ａの下に配された支持部材６との間に固定され、段板３Ａの下に配された蹴込板４Ａの両端部が、前方抑え面２６ｂと支持部材６との間に固定されている。【選択図】図３
2011236577.tif 000002
【特許請求の範囲】
【請求項１】
互いに平行に配置された一対の側板間に、複数の段板及び複数の蹴込板を固定してなる階段であって、
一対の前記側板は、それぞれの内側面に、下から１段目の段板の端部上面が当接される上方抑え面及び該段板の下に配される蹴込板の端部前面が当接される前方抑え面を有する切除部を有し、該切除部は、前記側板の前記内側面における、前記上方抑え面の下方に位置し且つ前記前方抑え面の後方に位置する部分の略全体を切除して形成されており、
下から１段目の前記段板の両端部が、前記上方抑え面と該段板の下に配された支持部材との間に固定され、該段板の下に配された前記蹴込板の両端部が、前記前方抑え面と前記支持部材との間に固定されていることを特徴とする階段。
【請求項２】
前記支持部材が、階段の前方に向かって高さが減少するクサビ状部材を含む複数の部材からなる請求項１記載の階段。
【請求項３】
複数の段板及び複数の蹴込板と組み合わされて階段を構成する階段形成用の側板であって、その片面に、下から１段目の段板の端部上面が当接される上方抑え面及び該段板の下に配される蹴込板の端部前面が当接される前方抑え面を有する切除部を有し、該切除部は、前記側板の前記片面における、前記上方抑え面の下方に位置し且つ前記前方抑え面の後方に位置する部分の略全体を切除して形成されている階段形成用の側板。
【請求項４】
請求項３記載の階段形成用の側板を一対用いて階段を形成する階段の施工方法であって、
下から１段目の段板及び該段板の下に配される蹴込板を断面直角に結合する工程と、断面直角に結合した前記段板及び前記蹴込板を、互いに平行に配した一対の側板間に、階段の後方から挿入する工程と、該段板の両端部の下に支持部材を挿入して支持させる工程を具備する階段の施工方法。
【発明の詳細な説明】
【技術分野】
【０００１】
本発明は、階段、階段形成用の側板及び階段の施工方法に関する。
【背景技術】
【０００２】
従来、戸建て木造住宅等の木造建築物における屋内階段としては、互いに平行に配置された一対の側板間に、複数の段板及び複数の蹴込板を固定してなる階段が広く用いられている。このような階段の側板の相対向する面（内側面）には、段板の端部が挿入される水平溝と蹴込板の端部が挿入される鉛直溝とを形成し、建築現場で階段を施工する際に、内側面同士が互いに平行となるように配置した一対の前記側板における前記水平溝に、階段の後方から段板を挿入すると共に、一対の該側板の前記鉛直溝に下方から蹴込板を挿入して固定することが一般的であった。
しかし、階段の下から１段目の段板の下に配される蹴込板を、互いに平行に配置した一対の側板の前記鉛直溝に挿入するには、それらの側板を持ち上げ、該蹴込板を下方から該鉛直溝に挿入する必要があり、例えば一人の施工者でそれを行うことは困難であった。また、所定位置に配した段板及び蹴込板をそれらが当該位置から動かないようにするために、蹴込板の上端部をその上に配された段板の下面にビスや釘等を介して固定することも行われていたが、一対の側板を所定箇所に固定した後においては、下から１段目の段板の更に下側での作業になるため、作業が容易ではなかった。
【０００３】
特許文献１には、互いに平行に配置される一対の側板の内側面に、階段裏面側において下方に向けて開放する鉛直な蹴込板取付溝を設けると共に、該蹴込板取付溝の後方に、前側が該蹴込板取付溝に連通し且つ後ろ側が階段裏面側において後方に向けて開放する作業溝を形成し、蹴込板を一対の側板に取り付けるに際し、階段裏面側における後方から蹴込板の両側縁部を上記両作業溝を介して両蹴込板取付溝までそれぞれ導いて、両蹴込板取付溝内にそれぞれ収容するようにした階段の蹴込板の取り付け方法が開示されている。
この方法によれば、下から１段目の段板の下に配する蹴込板を、側板を持ち上げなくても蹴込板取付溝内に収容することができる。しかし、その蹴込板を、その上に配された段板の下面に固定する作業は、依然として容易ではなかった。
【先行技術文献】
【特許文献】
【０００４】
【特許文献１】特開２００６−２９９６３０号公報
【発明の概要】
【発明が解決しようとする課題】
【０００５】
本発明の目的は、施工の容易な階段、階段の施工を容易化できる階段形成用の側板、及び施工の容易な階段の施工方法を提供することにある。
【課題を解決するための手段】
【０００６】
本発明は、互いに平行に配置された一対の側板間に、複数の段板及び複数の蹴込板を固定してなる階段であって、一対の前記側板は、それぞれの内側面に、下から１段目の段板の端部上面が当接される上方抑え面及び該段板の下に配される蹴込板の端部前面が当接される前方抑え面を有する切除部を有し、該切除部は、前記側板の前記内側面における、前記上方抑え面の下方に位置し且つ前記前方抑え面の後方に位置する部分の略全体を切除して形成されており、下から１段目の前記段板の両端部が、前記上方抑え面と該段板の下に配された支持部材との間に固定され、該段板の下に配された前記蹴込板の両端部が、前記前方抑え面と前記支持部材との間に固定されていることを特徴とする階段を提供することにより前記目的を達成したものである。
【０００７】
また、本発明は、複数の段板及び複数の蹴込板と組み合わされて階段を構成する階段形成用の側板であって、その片面に、下から１段目の段板の端部上面が当接される上方抑え面及び該段板の下に配される蹴込板の端部前面が当接される前方抑え面を有する切除部を有し、該切除部は、前記側板の前記片面における、前記上方抑え面の下方に位置し且つ前記前方抑え面の後方に位置する部分の略全体を切除して形成されている階段形成用の側板を提供することにより前記目的を達成したものである。
【０００８】
また、本発明は、前記の階段形成用の側板を一対用いて階段を形成する階段の施工方法であって、下から１段目の段板及び該段板の下に配される蹴込板を断面直角に結合する工程と、断面直角に結合した前記段板及び前記蹴込板を、互いに平行に配した一対の側板間に、階段の後方から挿入する工程と、該段板の両端部の下に支持部材を挿入して支持させる工程を具備する階段の施工方法を提供することにより前記目的を達成したものである。
【発明の効果】
【０００９】
本発明によれば、施工の容易な階段が提供される。また、本発明によれば、階段の施工を容易化できる階段形成用の側板が提供される。また、本発明によれば、施工の容易な階段の施工方法が提供される。
【図面の簡単な説明】
【００１０】
【図１】図１は、本発明の階段の一実施形態を示す斜視図である。
【図２】図２は、図１に示す階段の階段幅方向中央を通る断面を示す断面図である。
【図３】図３は、図１に示す階段に用いた側板を示す、（ａ）平面図及び（ｂ）Ｘ−Ｘ線断面図である。
【図４】図４は、下から１段目の段板及びその下に配する蹴込板を示す階段幅方向中央の断面図である。
【図５】図５は、図４に示す階段を、図４の右側から視た状態を示す図である。
【図６】図６は、段板及び蹴込板を断面直角に結合する様子を示す斜視図である。
【図７】図７は、図１に示す階段の施工方法を示す斜視図である。
【図８】図８は、図１に示す階段の施工方法を示す図４相当図である。
【発明を実施するための形態】
【００１１】
以下、本発明をその好ましい実施形態に基づいて説明する。
本発明の階段の一実施形態である階段１は、図１に示すように、戸建て木造住宅の屋内階段であり、互いに平行に配置された一対の側板２，２間に、複数の段板３，３・・及び複数の蹴込板４，４・・を固定してなる。
【００１２】
一対の側板２，２は、それぞれ、図２に示すように、下階の床構成材１Ａ上に載置されて固定される前端部２Ｆと、上階の構成材１Ｂに固定される後端部２Ｂとを有しており、前端部２Ｆと後端部２Ｂとの間には、傾斜した側面視直線状の上面２１及び傾斜した側面視直線状の下面２２を有している。また、側板２の前端部２Ｆには、下階の床構成材１Ａ上に載置される床設置面２３及び該床設置面２３から垂直に立ち上がる前方鉛直面２４を有している。階段１や側板２，２において、前方もしくは前側は、下階側又は下階に配される図２中の左側であり、後方又は後側は、図２中の右側である。
【００１３】
下階の床構成材１Ａには、フローリング材等の床仕上げ材、床下地材、根太等も含まれる。また、上階の構成材１Ｂには、上階の床下地材、床梁等も含まれる。
本実施形態の階段１に使用した一対の側板２，２、複数の段板３，３、及び複数の蹴込板４，４は、何れも木質材からなる。木質材には、木材の無垢材の他、集成材、ＬＶＬ、合板、パーティクルボード、ＭＤＦ、及びこれらの２種以上からなる複合材等が挙げられる。
【００１４】
本実施形態における一対の側板２，２は、それぞれ、木造住宅における柱や間柱等の鉛直材５、又はそのような鉛直材等に固定された面材（図示せず）上に、ビス、釘、ボルト等の公知の固定具により固定されており、それぞれ、前端部２Ｆが下階に位置し後端部２Ｂが上階に位置するように固定されている。また、一対の側板２，２は、図１に示すように、互いに平行となるように固定されており、両側板２それぞれにおける、他方の側板と相対向する面である内側面２５に、図３に示すように、切除部２６、段板挿入溝２７、蹴込板挿入溝２８が形成されている。
【００１５】
各側板２に形成されている、切除部２６、段板挿入溝２７及び蹴込板挿入溝２８について説明する。
各側板２の切除部２６は、階段１の下から１段目の段板３Ａの端部及びその段板３Ａの下に配される蹴込板４Ａの端部を固定するために形成されたもので、図３に示すように、段板３Ａの端部上面が当接される上方抑え面２６ａ及び該段板３Ａの下に配される蹴込板４Ａの端部前面が当接される前方抑え面２６ｂを有している。上方抑え面２６ａは、段板３Ａの上方への移動を規制し、前方抑え面２６ｂは、蹴込板４Ａの前方への移動を規制する。また、この切除部２６は、図３に示すように、側板２の内側面２５における、上方抑え面２６ａの下方に位置し且つ前方抑え面２６ｂの後方に位置する部分の略全体を切除して形成されている。
【００１６】
より具体的に説明すると、切除部２６は、側板２の厚み方向における、内側面２５から所定距離離間した位置に、該内側面２５と平行な端部対向面２６ｃを有している。端部対向面２６ｃは、下から１段目の段板３Ａ及びその下に配される蹴込板４Ａを固定した際に、段板３Ａの端面が対向する領域２７’と該蹴込板４Ａの端面が対向する領域２８’とを有しており、更に、これらの２つの領域２７’、２８’と側板２の下面２２とに囲まれた直角三角形状の領域６’を有している。この３つ領域２７’，２８’及び６’は、側板２の内側面２５からの深さが等しく、内側面２５と平行な一平面状の端部対向面２６ｃを形成している。本発明における切除部２６は、側板２の内側面２５からの深さが、これら３つの領域２７’，２８’及び６’において等しいことが好ましいが、一対の側板２，２間の間隔を、完成した階段１の同側板２，２の間隔と同じ間隔に固定した状態において、予め断面直角に結合させた段板３Ａ及び蹴込板４Ａを、階段の後方から適正な配置位置まで差し込むことができる限り、前記領域２７’と前記領域２８’、前記領域２７’と前記領域６’、又は前記領域２８’と前記領域６’とで、内側面２５からの深さが若干異なっていても良い。
【００１７】
階段１における側板２の切除部２６には、下から１段目の段板３Ａの端部が、その上面を上方抑え面２６ａに当接させた状態に配されており、また、その段板３Ａの下に配される蹴込板４Ａの端部が、その前面を前方抑え面２６ｂに当接させた状態に配されている。図４及び図６に示すように、段板３Ａの前端縁近傍の下面には、該前端縁に沿って延びる溝３１が形成されており、該段板３Ａの下に配される蹴込板４Ａは、その上端部が、該溝３１に挿入されていると共に、蹴込板４Ａの後方から打ち込まれたビス、釘等の公知の固定具により段板３Ａの下面に固定されている。これにより、段板３Ａ及び蹴込板４Ａは、断面直角に一体化されている。また、切除部２６は、側板２における前方抑え面２６ｂより前方に、段板３Ａの端部の前端部が挿入される前端挿入部２６ｄを有することが好ましい。段板３及び蹴込板４の「端部」及び「端面」は、階段１を正面から見たときに、左右方向（段板の幅方向，段板の長手方向）の両端に位置する端部及び端面である。
【００１８】
また、図４及び図５に示すように、側板２の切除部２６に挿入された段板３Ａの端部は、上方抑え面２６ａと該段板３Ａの下方に配された支持部材６の上面６ａとの間に挟まれて固定されており、同じく切除部２６に挿入された蹴込板４Ａの端部は、前方抑え面２６ｂと支持部材６の前面６ｂとの間に挟まれて固定されている。また本階段１に用いた支持部材６は、階段の前方に向かって高さが減少するクサビ状の部材６１と、階段の後方に向かって高さが減少する逆クサビ状の部材６２との組みあわせから構成されている。支持部材６を構成する前記２部材６１，６２は、ビス、釘等の公知の固定具６３，６４を介して、少なくとも一部が、前記側板２の切除部２６内に位置するように固定されている。
【００１９】
各側板２の段板挿入溝２７は、図２及び図３に示すように、下から２段目以上の段板３を、階段の切除部２６より上方に、多段状に固定するために形成されており、各側板２における蹴込板挿入溝２８は、下から２段目以上の段板３の下に配される蹴込板４を、該段板３とそれより一段下の段板との間に固定するために形成されている。段板挿入溝２７及び蹴込板挿入溝２８は、側板２の内側面２５に、該内側面２５からの深さが前記端部対向面２６ｃの前記３領域２７’，２８’及び６’と等しい溝として形成されている。階段１における段板挿入溝２７には、階段１の後方から、該溝２７の幅と略同じ厚みの段板３の端部が挿入されており、段板１における蹴込板挿入溝２８には、各段板３の下方から、該溝２８の幅と略同じ厚みの蹴込板４の端部が挿入されている。なお、２段目以上の段板３の前端縁近傍の下面にも、該前端縁に沿って延びる溝３１が形成されており、それらの段板３の下に配される蹴込板４は、その上端部が該溝３１に挿入され、その下端部が一段下の段板３の後端部に、図示しないビス、釘等の公知の固定具により固定されている。
【００２０】
切除部２６、段板挿入溝２７及び蹴込板挿入溝２８は、厚みの均一な側板の内側面２５側の一部を、ＮＣルーターを用いた切削加工、ルーターを用いた加工等により切除することにより形成することができる。
【００２１】
次に、上記階段１の好ましい施工方法について説明する。
先ず、一対の側板２，２を、図７（ａ）に示すように、内側面２５どうしが対向するように、建築中あるいはリフォーム中の建物の柱や間柱等に固定する。一対の側板２，２間の間隔は、通常、完成した階段における一対の側板２，２間の間隔と同じである。
この作業とは別に、階段１の下から１段目に配する段板３Ａとその下に配する蹴込板４Ａとを、図７に示すように、段板３Ａ下面の溝３１に蹴込板４Ａの上端部を挿入すると共に、その裏側からビスや釘等の固定具７１（図４参照）を打ち込み断面直角に一体化させる。この一体化作業は、一対の側板２，２を、建物の所定位置に固定する作業に対して、先立って行ってもよいし、後に行っても、並行して行ってもよい。
【００２２】
次いで、図７（ａ）に示すように、一体化させた段板３Ａ及び蹴込板４Ａを、その結合状態を維持したまま、階段１の後方から前方に向かって略水平に移動させ、前述のように互いに平行となるように配置した一対の側板２，２間に、階段１の後方から挿入する。この挿入は、一対の側板２，２それぞれの切除部２６内に、段板３Ａ及び蹴込板４Ａそれぞれの端部が挿入され、好ましくは、図７（ｂ）に示すように、蹴込板４Ａの前面が前方抑え面２６ｂに当接するまで行う。
【００２３】
次いで、図４に示すように、一対の側板２，２間に挿入した、段板３Ａ及び蹴込板４Ａにおける該段板３Ａの両端部の下に、それぞれ支持部材６を挿入して段板３Ａを下方から支持させる。この支持部材６の挿入は、図８に示すように、階段の前方に向かって高さが減少するクサビ状の部材６１を含む複数の部材６１，６２のうち、クサビ状の部材６１以外の部材６２を先に、切除部２６内における段板３Ａ下の領域に挿入した後、クサビ状の部材６１を、先に挿入した部材６２上に押し込むことが好ましい。切除部２６内に先に挿入した部材６２は、クサビ状の部材６１を押し込む前に公知の固定具６４で、切除部２６内に固定しておくことが好ましい。また、クサビ状の部材６１を押し込む前に、クサビ状の部材６１の下面、上面、前面及び側板対向面の何れか１以上に接着剤を塗工しておくことも好ましい。また、クサビ状の部材６１に接着剤を塗工するのに代えて、あるいはクサビ状の部材６１に接着剤を塗工すると共に、先に挿入した部材６２の上面（部材６１の下面に当接する面）に接着剤を塗工しておくことも好ましい。また、前述のように、押し込んだクサビ状の部材６１を、公知の固定具６３で切除部２６内に固定することも好ましい。クサビ状の部材６１を押し込む方法は、手で押し込んでも良いし、木槌やトンカチ等で打ち込んでも良い。手で途中まで押し込んだ後、木槌やトンカチ等で更に打ち込んでも良い。
【００２４】
そして、２段目以上の段板３及びそれらの下に配される蹴込板４を、一対の側板２，２間に固定する。この固定の方法及び順序は、従来の方法と同様に行うことができ、特に制限されない。例えば、２段目以上の段板３を、順次、階段１の後方から段板挿入溝２７に挿入して固定した後、それらの下に、蹴込板４を、各段板の下方から蹴込板挿入溝２８に挿入して固定しても良い。
【００２５】
以上のように、本実施形態の階段１、該階段に使用した側板２及び階段１の施工方法によれば、側板２，２の床接地面２３を床構成材１Ａに当接させたまま、一体化された段板３Ａ及びその下に配される蹴込板４Ａを、該側板２，２間に挿入可能であるため、段板３Ａ及びその下に配する蹴込板４Ａを配置するに当たり、側板２を持ち上げる必要がない。また、段板３Ａ及び蹴込板４Ａを、予め断面直角に結合した後に側板２，２間に挿入可能であるため、段板３Ａと蹴込板４Ａとを結合させる作業を、低い位置に配した段板３Ａの下で行わなくてもすむので、作業負担の軽減を図ることができる。
【００２６】
また、切除部２６における段板３Ａの端部の下に支持部材６を配することにより、段板３Ａが下方から安定に支持されるので、階段に必要な強度を確保することもできる。また、支持部材６として、クサビ状の部材６１を含む複数の部材からなるものを用いることにより、段板３Ａを該段板３Ａと支持部材６との間に隙間が生じないように固定でき、階段がきしんだりする等の不都合を防止することもできる。図４に示す支持部材６は、クサビ状の部材６１と逆クサビ状の部材６２とを組み合わせたときに、その上下面が互いに平行な支持部材６を形成している。
【００２７】
なお、切除部２６の、側板２の内側面２５からの深さｄ１（図５参照）は、側板２の厚みｔ２（図５参照）の６０〜７５％であることが好ましく、６５〜７０％であることがより好ましい。支持部材６の厚みｔ６（図５参照）は、切除部２６の前記深さｄ１の５０〜７０％であることが好ましく、６０〜６５％であることがより好ましい。
【００２８】
以上、本発明をその好ましい実施形態に基づき説明したが、本発明は前記実施形態に制限されず、種々変更可能である。例えば前記実施形態においては、クサビ状の部材を含む複数の部材の組み合わせからなる支持部材６を用いたが、クサビ状の部材を含まない複数部材からなる支持部材６を用いることもでき、また、単一の部材からなる支持部材を用いることもできる。また、クサビ状の部材６１は、逆クサビ状の部材６２と組み合わせるのに代えて、上下面が互いに平行な部材と組み合わせて用いることもでき、また、２以上の他の部材と組み合わせて用いることもできる。
【符号の説明】
【００２９】
１  階段
２  側板
２６  切除部
２６ａ  上方抑え面
２６ｂ  前方抑え面
２６ｃ  端面対向面
２７  段板挿入部
２８  蹴込板挿入部
３  段板
３Ａ  下から１段目の段板
４  蹴込板
４Ａ  下から１段目の段板の下に配される蹴込板
６  支持部材
６１  クサビ状の部材
６２  逆クサビ状の部材（クサビ状の部材と組み合わされる他の部材）
【図１】
2011236577.tif 000003
【図２】
2011236577.tif 000004
【図３】
2011236577.tif 000005
【図４】
2011236577.tif 000006
【図５】
2011236577.tif 000007
【図６】
2011236577.tif 000008
【図７】
2011236577.tif 000009
【図８】
2011236577.tif 000010